(57)【特許請求の範囲】
【請求項１】
化粧内容物が充填される化粧品収容部（２１０）と、
前記化粧品収容部内に位置するピストン（２２０）と、
前記化粧品収容部（２１０）に形成され、化粧品を外部に排出させることのできる排出手段が結合される化粧品排出手段結合部（２３０）と、
前記化粧品排出手段結合部の一側に分離可能に結合されるカバー（２４０）と、を含み、
前記化粧品排出手段結合部（２３０）の一側から分離されたカバー（２４０）を固定するカバー定着部（２６０）をさらに含み、前記カバー（２４０）は、化粧品排出手段（３００）が前記化粧品排出手段結合部（２３０）に結合する場合、前記化粧品排出手段結合部（２３０）の一側から分離される
ことを特徴とするリフィル用貯蔵容器。
【請求項２】
前記リフィル用貯蔵容器は、化粧品排出手段（３００）とねじ結合により締結される
請求項１に記載のリフィル用貯蔵容器。
【請求項３】
前記化粧品収容部（２１０）の一面は、分離可能な外側カバー（２５０）で構成される
請求項１に記載のリフィル用貯蔵容器。
【請求項４】
前記カバー定着部（２６０）は、前記化粧品排出手段結合部（２３０）と離隔して位置する
請求項１に記載のリフィル用貯蔵容器。
【請求項５】
前記カバー定着部（２６０）は、外側カバー（２５０）に形成される
請求項１に記載のリフィル用貯蔵容器。
【請求項６】
前記カバー定着部（２６０）は、カバー（２４０）が挿入支持されるように支持溝（２５６）を形成する支持突起（２５５）が突出形成されて構成された
請求項１に記載のリフィル用貯蔵容器。
【請求項７】
前記支持溝（２５６）は、前記カバー（２４０）の形状と同じ形状に形成される
請求項６に記載のリフィル用貯蔵容器。
【請求項８】
化粧品を外部に排出させる化粧品排出手段（３００）と、
前記化粧品排出手段とリフィル可能に結合されたリフィル用貯蔵容器（２００）と、を含み、
前記リフィル用貯蔵容器（２００）は、
化粧内容物が充填される化粧品収容部（２１０）と、
前記化粧品収容部内に位置するピストン（２２０）と、
化粧品を外部に排出させることのできる排出手段が結合する化粧品排出手段結合部（２３０）と、
前記化粧品排出手段結合部の一側に分離可能に結合されるカバー（２４０）と、を含み、
前記化粧品排出手段結合部（２３０）の一側から分離されたカバー（２４０）を固定するカバー定着部（２６０）をさらに含み、前記カバー（２４０）は、化粧品排出手段（３００）が前記化粧品排出手段結合部（２３０）に結合する場合、前記化粧品排出手段結合部（２３０）の一側から分離される
ことを特徴とする化粧品容器。
【請求項９】
前記化粧品排出手段（３００）は、前記リフィル用貯蔵容器（２００）との結合時、前記カバー（２４０）を加圧して化粧品排出手段結合部（２３０）から分離させる加圧部（３１５）を含む
請求項８に記載の化粧品容器。
【請求項１０】
前記化粧品排出手段（３００）は、ポンピング作動により化粧品を吐出させるポンプ（３２０）と、前記ポンプ（３２０）を収容し、前記リフィル用貯蔵容器（２００）と結合するポンプ支持部（３１０）と、を含む
請求項８に記載の化粧品容器。
【請求項１１】
少なくとも一つ以上の吐出孔（３４２）を含む化粧品吐出板（３４０）をさらに含む
請求項１０に記載の化粧品容器。
【請求項１２】
前記化粧品吐出板（３４０）の押圧動作により、前記ポンプ（３２０）から化粧品が排出される
請求項１１に記載の化粧品容器。
【請求項１３】
前記化粧品吐出板（３４０）と前記ポンプ支持部（３１０）との間に設けられ、前記ポンプ（３２０）により排出される化粧品をガイドするガイド板（３３０）をさらに含む
請求項１１に記載の化粧品容器。
【請求項１４】
てこ原理により、前記ポンプ（３２０）のポンピング作動を誘導して化粧品を排出させる押圧ボタン部（３５０）をさらに含む
請求項１０に記載の化粧品容器。
【請求項１５】
前記押圧ボタン部（３５０）は、リング形態のレバー（３５１）で構成される
請求項１４に記載の化粧品容器。
【発明の詳細な説明】
【技術分野】
【０００１】
本発明は、化粧品を外部に排出させることのできる排出手段と結合するリフィル用貯蔵容器に係り、さらに詳しくは、化粧内容物が充填される貯蔵容器を、化粧品排出手段とリフィル可能に組立構成し、部品節減及びリフィル使用による経済性を向上させた化粧品容器に関する。
【背景技術】
【０００２】
一般に、コンパクト容器は、おしろい（ｐｏｗｄｅｒ）状やゲル状の内容物をパフにつけて肌に塗布可能にする化粧品容器である。特に、近年、内容物の飛散防止及び化粧塗布時における皮膚への吸収力を高めるために、ゲル状の内容物を用いた製品が広がっている趨勢である。このようなゲル状の内容物を用いるコンパクト容器は、ポンプ作動により化粧内容物を吐出して使用するが、多様な製品の構造が開示されている。
【０００３】
このようなポンプ作動式のコンパクト容器は、外容器と、前記外容器の内部に結合される内容器と、で構成される。前記内容器には、化粧内容物と一緒にピストンが内蔵され、前記内容器の上部中央にエアレスポンプが設けられ、前記エアレスポンプの上部にエアレスポンプを押圧作動するためのレバー作動部と、前記エアレスポンプから吐出される化粧内容物を供給し、パフにつけて使用するための化粧皿等が設けられる構造からなる。
【０００４】
しかしながら、上述した従来のポンプ作動式コンパクト容器は、内容器に化粧内容物を充填した状態で移動供給しながらピストンを組み立てるので、化粧内容物の充填作業はもとより、ピストン等の組立作業が極めて不便であるという問題点があった。
【０００５】
また、前記内容器にピストンを組み立てた後も、エアレスポンプ、レバー作動部、化粧皿等をそれぞれ段階的に組み立てる複数の組立過程を経て完製品を製造するので、組立作業性がさらに不便であるという問題点があった。
【０００６】
しかも、前記化粧内容物をリフィルして使用しようとする場合、内容器とエアレスポンプ等が組み立てされた全体構造をリフィル交替するので、リフィルの費用が多く所要するという非経済的な問題点があった。
【発明の概要】
【発明が解決しようとする課題】
【０００７】
本発明は、上記した従来技術が有する諸般の問題点に鑑みなされたものであり、化粧品排出手段とは別途に、化粧内容物が充填される貯蔵容器だけをリフィル可能に組立構成し、リフィル容器だけを交替して使用することができるようにし、経済性を向上させることを目的とする。
【０００８】
本発明は、リフィル用貯蔵容器に化粧内容物を充填し、内・外側カバーを結合して完成し、リフィル用貯蔵容器を別途製造した後、化粧品排出手段の下部に簡単に結合して使用するので、内容物充填作業及び組立作業性を向上させ、部品節減の効果を提供することを他の目的とする。
本発明は、化粧品を外部に吐出させる化粧品排出手段と、リフィル用貯蔵容器とを含む化粧品容器を提供することをその目的とする。
【課題を解決するための手段】
【０００９】
本発明の一実施例に係るリフィル用貯蔵容器は、化粧内容物が充填される化粧品収
容部２１０と、前記化粧品収容部内に位置するピストン２２０と、前記化粧品収容部２１０に形成され、化粧品を外部に排出させることのできる排出手段が結合される化粧品排出手段結合部２３０と、前記化粧品排出手段結合部の一側に分離可能に結合されるカバー２４０と、を含むことを特徴とする。
【００１０】
具体的に、前記カバー２４０は、化粧品排出手段が前記化粧品排出手段結合部２３０に結合する場合、前記化粧品排出手段結合部２３０の一側から分離されることができる。
具体的に、前記リフィル用貯蔵容器は、化粧品排出手段とねじ結合により締結されることができる。
具体的に、前記化粧品収容部２１０の一面は、分離可能な外側カバー２５０で構成されることができる。
具体的に、前記リフィル用貯蔵容器は、化粧品排出手段結合部の一側から分離されたカバーを固定するカバー定着部２６０をさらに含むことができる。
具体的に、前記カバー定着部２６０は、前記化粧品排出手段結合部２３０と離隔して位置することができる。
具体的に、前記カバー定着部２６０は、前記外側カバー２５０に形成されることができる。
具体的に、前記カバー定着部２６０は、カバー２４０が挿入支持されるように支持溝２５６を形成する支持突起２５５が突出形成されて構成されることができる。
具体的に、前記支持溝２５６は、前記カバー２４０の形状と同じ形状に形成されることができる。
【００１１】
本発明に係る化粧品容器は、化粧品を外部に排出させる化粧品排出手段３００と、前記化粧品排出手段とリフィル可能に結合されたリフィル用貯蔵容器２００と、を含み、前記リフィル用貯蔵容器２００は、化粧内容物が充填される化粧品収容部２１０と、前記化粧品収容部内に位置するピストン２２０と、化粧品を外部に排出させることのできる排出手段が結合する化粧品排出手段結合部２３０と、前記化粧品排出手段結合部の一側に分離可能に結合されるカバー２４０と、を含むことを特徴とする。
【００１２】
具体的に、前記化粧品排出手段３００は、前記リフィル用貯蔵容器２００との結合時、前記カバー２４０を加圧して化粧品排出手段結合部２３０から分離させる加圧部３１５を含むことができる。
【００１３】
具体的に、前記化粧品排出手段３００は、ポンピング作動により化粧品を吐出させるポンプ３２０と、前記ポンプを収容し、前記リフィル用貯蔵容器と結合するポンプ支持部３１０と、を含むことができる。
具体的に、前記化粧品容器は、少なくとも一つ以上の吐出孔を含む化粧品吐出板３４０をさらに含むことができる。
具体的に、前記化粧品容器は、前記化粧品吐出板３４０の押圧動作により、前記ポンプ３２０から化粧品が排出されることを特徴とすることができる。
【００１４】
具体的に、前記化粧品容器は、前記化粧品吐出板と前記ポンプ支持部との間に設けられ、前記ポンプにより排出される化粧品をガイドするガイド板３３０をさらに含むことができる。
【００１５】
具体的に、前記化粧品容器は、てこ原理により、前記ポンプ３２０のポンピング作動を誘導して化粧品を排出させる押圧ボタン部３５０をさらに含むことができる。
具体的に、前記押圧ボタン部３５０は、リング形態のレバーで構成されることができる。
【発明の効果】
【００１６】
本発明に係る化粧品容器は、外部ケースの内部に化粧品排出手段とは別途に、化粧内容物が充填される貯蔵容器だけをリフィル可能に組立構成し、最少部品のリフィル使用により部品節減、リフィル使用による経済性及び原価低減の効果がある。
【００１７】
また、前記リフィル用貯蔵容器は、上部から化粧内容物を充填し、内・外側カバーを結合し完成してリフィル用貯蔵容器を別途製造した後、化粧品排出手段の下部に簡単に結合して使用可能にすることにより、内容物充填作業工程を簡素化させ、製品組立作業の効率性を向上させる効果がある。
【図面の簡単な説明】
【００１８】
【図１】本発明の一実施例に係るリフィル用貯蔵容器の分解斜視図
【図２】本発明の一実施例に係るリフィル用貯蔵容器の組立工程順序図
【図３】本発明の第１の実施例に係る化粧品排出手段の分解斜視図
【図４】本発明の一実施例に係るポンプの分解斜視図
【図５】本発明の第２の実施例に係る化粧品排出手段の分解斜視図
【図６】本発明の第２の実施例に係る化粧品排出手段の一部構成の底面構造を示す斜視図
【図７】本発明の一実施例に係るリフィル用貯蔵容器と、第２の実施例に係る化粧品排出手段との結合順序図
【図８】本発明の一実施例に係るリフィル用貯蔵容器と、第２の実施例に係る化粧品排出手段との結合断面図
【図９】図８の「Ａ」部分の拡大図
【図１０】本発明の第２の実施例に係る化粧品排出手段が適用された化粧品容器を示す外観斜視図
【発明を実施するための形態】
【００１９】
以下、添付された図面を参照して、本発明の好適な実施例について詳述する。
図１は、本発明の一実施例に係るリフィル用貯蔵容器の分解斜視図であり、図２は、本発明の一実施例に係るリフィル用貯蔵容器の組立工程順序図である。
以下では、図１及び図２を参照して、本発明の一実施例に係るリフィル用貯蔵容器について説明する。
【００２０】
図１を参考すると、本発明の一実施例に係るリフィル用貯蔵容器２００は、化粧内容物が充填される化粧品収容部２１０と、前記化粧品収容部２１０内に収容されるピストン２２０と、化粧品収容部２１０に形成され、化粧品を外部に排出させることのできる排出手段が結合される化粧品排出手段結合部２３０と、化粧品排出手段結合部２３０の一側に分離可能に結合されるカバー２４０と、を含むことができる。
【００２１】
化粧品収容部２１０は、内部に化粧品を収容することができる。ここで、化粧品は、液状であることができる。化粧品収容部２１０に貯蔵されている化粧品は、後述する化粧品排出手段３００により外部に排出されることができる。化粧品収容部２１０は、化粧品を収容することのできる空間が形成されていれば、その形態が制限されない。
【００２２】
ピストン２２０は、化粧品収容部２１０内に挿入され、化粧品収容部２１０内に充填された化粧品を外部に排出させる。具体的には、化粧品収容部２１０内の負圧により、ピストン２２０が下降しながら化粧品を化粧品排出手段３００に供給することができる。
【００２３】
ピストン２２０は、化粧品収容部２１０と接触するピストン２２０の外周面の中央部分が窪んだ形態を有することができる。すなわち、ピストン２２０の外周面を上下外側に行くほど長く、中央に行くほど短くして、断面図において窪んだ形状になるようにすることができる。これにより、ピストン２２０と化粧品収容部２１０内壁との間に気密を効果的にし、化粧品収容部２１０内の負圧を維持することができる。
【００２４】
化粧品排出手段結合部２３０は、化粧品収容部２１０に形成され、化粧品を外部に排出させることのできる排出手段が結合されることができる。化粧品収容部２１０は、化粧品を外部に排出させることのできる化粧品排出手段３００と、多様な形態で結合することができ、これにより、化粧品排出手段結合部２３０も、化粧品収容部２１０の多様な地点に形成されることができる。化粧品収容部２１０の上部に化粧品排出手段３００が結合することができ、化粧品収容部２１０の内側に化粧品排出手段３００が引き込まれて結合することもできる。
【００２５】
化粧品収容部２１０の内側に化粧品排出手段３００が引き込まれると、化粧品収容部２１０は、中心部に溝が形成されてリング状になり、化粧品排出手段結合部２３０は、溝の内側に形成されることができる。このとき、化粧品排出手段結合部２３０にねじ山、突起と溝のような結合構成が形成されることができる。結合構成において、図１では、化粧品排出手段結合部２３０にねじ部２１３が形成された様子を示しているが、これに制限されない。化粧品収容部２１０と化粧品排出手段３００との結合は、多様な形態からなり得るので、結合構成も、これに対応して多様に形成されることができる。
【００２６】
カバー２４０は、化粧品排出手段結合部２３０の一側に分離可能に結合されることができる。カバー２４０は、化粧品排出手段結合部２３０の一側に単純な嵌合組立方式で定着結合され、または、一部融着方式により結合されることができる。カバー２４０は、化粧品排出手段３００が結合する場合、前記化粧品排出手段結合部２３０の一側から分離されることができる。カバー２４０が分離されると、化粧品収容部２１０内に収容されている化粧品が外部に排出されることができる状態となる。カバー２４０の形態は、円形であってもよいが、形態に制限されない。
【００２７】
化粧品収容部２１０は、全面が一体型で形成されることもでき、一面が分離可能な外側カバー２５０で構成されることができる。外側カバー２５０が、化粧品収容部２１０と結合する方式は、多様であるが、例えば、図２に示されるように、化粧品収容部２１０の外側縁に凹溝２１２を形成し、外側カバー２５０の下部の外側縁の凹溝２１２に気密に結合される突起２５２を対応形成し、外側カバー２５０と化粧品収容部２１０を組立結合させることができる。また、外側カバー２５０は、化粧品収容部２１０に化粧品を充填させてから、結合されることにより、化粧品収容部２１０を密閉する役割がすることができる。
【００２８】
また、前記外側カバー２５０は、カバー２４０から離隔して形成されることができる。このとき、カバー２４０と外側カバー２５０との間に離隔空間部２５１が形成され、化粧品の通過が可能になる。
【００２９】
カバー定着部２６０は、化粧品排出手段３００が結合する場合、前記化粧品排出手段結合部２３０の一側から分離されたカバー２４０を収容することができる。カバー２４０が分離された後、化粧品収容部２１０内において固定されなかった状態で存在する場合、化粧品排出路を塞ぎ、化粧品の排出に障害となり得るので、カバー定着部２６０は、カバー２４０を化粧品収容部２１０の特定空間に固定させる役割をする。
【００３０】
カバー定着部２６０は、化粧品収容部２１０の一面に形成されることができ、化粧品収容部２１０の一面を構成する外側カバー２５０に形成されることもできる。前記カバー定着部２６０は、外側カバー２５０の中央に位置することができる。
【００３１】
また、カバー定着部２６０は、化粧品排出手段結合部２３０と離隔して位置し、離隔空間部２５１を形成することができる。この場合、カバー２４０が分離された後、前記離隔空間部２５１を通じて化粧品が通過して化粧品排出手段３００に排出されることができる。
【００３２】
また、カバー定着部２６０は、カバー２４０が挿入支持されるように、多様な形態で構成されることができる。特に、カバー定着部２６０は、支持溝２５６を形成する支持突起２５５が突出形成されて構成されることができる。支持溝２５６は、カバー２４０が安着されるように、カバー２４０の形状と同じ形状に形成されることができる。
図２は、本発明の一実施例に係るリフィル用貯蔵容器の組立工程順序図である。
【００３３】
本発明の一実施例に係るリフィル用貯蔵容器２００の化粧内容物の充填及び組立製造する過程は、以下の通りである。化粧品収容部２１０の開放された面が上向きになるように位置させた後、化粧品排出手段結合部２３０の一側にカバー２４０を結合させる。化粧品収容部２１０の内部にピストン２２０を挿入し、化粧内容物を充填する。また、化粧品収容部２１０の上部に外側カバー２５０を結合して、リフィル用貯蔵容器２００を密閉させる。カバー２４０の結合順序では、外側カバー２５０の結合前であれば、化粧品の充填以後に行われてもよい。このようにして、本発明の一実施例に係るリフィル用貯蔵容器２００を製造することができる。
化粧品排出手段３００については、図３乃至図７を通じて説明する。
【００３４】
本発明に係るリフィル用貯蔵容器２００は、化粧品排出手段３００と結合されることができる。化粧品排出手段３００は、リフィル用貯蔵容器２００と結合して化粧品を外部に吐出させる手段を意味する。化粧品排出手段３００は、ボタン部を加圧することにより化粧品を吐出させる押圧ボタン型、別途のボタン部無しに、プレートだけを加圧しても化粧品が吐出されるプレート型等、多様な形態が存在することができる。化粧品排出手段３００は、リフィル用貯蔵容器２００の上部に位置することができ、リフィル用貯蔵容器２００の形態により、リフィル用貯蔵容器の内側に一部の構成が引き込まれることができる。
【００３５】
以下、図３乃至図６を参照して、化粧品排出手段３００について説明する。図３は、本発明の第１の実施例に係る化粧品排出手段の分解斜視図であり、図４は、本発明の一実施例に係るポンプの分解斜視図である。
【００３６】
化粧品排出手段３００は、ポンピング作動により化粧品を吐出させるポンプ３２０、及びポンプ３２０を収容し、リフィル用貯蔵容器２００と結合するポンプ支持部３１０を含むことができる。
【００３７】
ポンプ３２０は、化粧品収容部２１０に収容されている化粧品を外部に排出させる役割をし、ポンプ支持部３１０に位置することができるが、具体的には、ポンプ支持部３１０の中央に設けられることができる。ポンプ３２０は、エアレスポンプであることができ、化粧品収容部２１０に収容されている液状化粧品を吸い込み、リフィル用貯蔵容器２００の外部に排出させることができる。このとき、排出された化粧品は、ポンプ３２０と化粧品吐出板３４０を経て使用者のパフが接近することのできる外部に露出されることができる。
ポンプ３２０は、シリンダーとピストンの相互作動により、化粧品を外部に排出させることのできる構造であれば、構成に制限されない。
【００３８】
本発明の一実施例に係るポンプ３２０は、ハウジング３２１の内部に下部通孔３２２を開閉する逆止弁３３１と、固定ピストン３３２と、気密キャップ３８８と、固定ピストンの内側に上下移動作動により化粧内容物の通路を開閉作動するピストンロッド３３３と、ピストンロッドの上端に結合され、中央にノズル孔３３４を形成するステム３３５と、で構成されることができる。
【００３９】
このとき、ピストンロッド３３３は、ポンプ３２０のポンピング作動時、固定ピストン３３２との離隔隙間を形成し、ピストンロッドの管路３３３ａを開放するので、化粧内容物を吐出供給することができる。
【００４０】
ステム３３５は、ポンプ３２０から排出された化粧品を均一に分散供給させる分配板または化粧品をガイドするガイド板と一体で形成されることができる。また、ステム３３５の下部には、上下に緩衝作動をするように弾性部材３２５を含むことができる。弾性部材３２５は、スプリングであることができる。ステム３３５が外部圧力により下降すると、弾性部材３２５を圧縮して弾発下降させ、同時にポンプ３２０が加圧されながらポンピング作動が始まることができる。すなわち、ステム３３５により、ピストンロッド３３３が下降しながら、固定ピストン３３２との間を離隔させて通路を開放するので、化粧品を、ステム３３５の中央のノズル孔３３４から上部に吐出供給するようになることである。このとき、化粧品の排出により化粧品収容部２１０内に負圧が発生すると、ピストン２２０が下降しながら化粧品排出手段結合部２３０と外側カバー２５０との間に形成された離隔空間部２５１からポンプ３２０に化粧品を供給し続けることができる。
【００４１】
一方、押圧外力を除去すれば、ステム３３５が下部の弾性部材３２５により弾発上昇復帰しながら、ステム３３５の下部に結合されたポンプのピストンロッド３３３も原位置に復帰しながら化粧内容物の吐出供給が中止されることができる。
【００４２】
ポンプ支持部３１０は、リフィル用貯蔵容器２００と結合することができる。ポンプ支持部３１０は、リフィル用貯蔵容器２００と結合することができ、内部にポンプ３２０を収容することができる。ポンプ支持部３１０内におけるポンプ３２０が収容される部分をポンプ組立部３１３と言える。ポンプ支持部３１０は、中央に溝を形成し、下方に延長形成されたフランジを設けることにより、リフィル用貯蔵容器２００の内部に引き込まれる形態を有することができる。この場合、ポンプ３２０は、ポンプ支持部３１０の中央溝に収容されることにより、リフィル用貯蔵容器２００の内部に位置するようになる。また、ポンプ支持部３１０においてリフィル用貯蔵容器２００と結合する部位であるポンプ組立部３１３の外側にねじ部３１４を形成し、リフィル用貯蔵容器２００に形成されたねじ部２１３と相互結合されることができる。
【００４３】
ポンプ支持部３１０は、リフィル用貯蔵容器２００との結合時、前記カバー２４０を加圧して化粧品排出手段結合部２３０から分離させることのできるように加圧部３１５を含むことができる。加圧部３１５は、カバー２４０を加圧することのできる部分を意味し、突起のような突出された形態であることができる。加圧部３１５は、ポンプ支持部３１０の下部に形成されることができる。
【００４４】
また、ポンプ支持部３１０は、上部に、分配板、または、ガイド板、化粧品吐出板、押圧ボタン部等のように、化粧品を吐出または分配する別途の構成と結合するように溝のような追加構成を備えることができる。
【００４５】
化粧品吐出板３４０は、ポンプ支持部３１０の上部に位置することができ、少なくとも一つ以上の吐出孔３４２を含むことができる。化粧品吐出板３４０は、金属と非金属材質をいずれも適用可能であり、コーティングやメッキが適用されることもできる。吐出孔３４２は、化粧品が排出される通路を意味するものであり、個数や形態に制限されない。吐出孔３４２は、放射状に形成されることができ、化粧品吐出板３４０の下部に排出路が形成された構成が結合されると、化粧品の容易な排出のために前記排出路と対応される形態を有することができる。
【００４６】
また、化粧品吐出板３４０は、外側が湾曲突出され、内側に陷沒される形態を有することができる。化粧品吐出板３４０の外部に吐出された化粧品をパフのようなアプリケーターに接触し易くするためである。この場合、陷沒部の中央に吐出孔３４２が形成されることができる。
【００４７】
ガイド板３３０は、ポンプにより排出される化粧品をガイドして均一に分散供給させる役割をすることができる。ガイド板３３０は、化粧品吐出板３４０と前記ポンプ支持部３１０との間に設けられることができ、化粧品吐出板３４０またはポンプ支持部３１０の一部分と結合されることもでき、一体で形成されることもできる。例えば、ガイド板３３０は、上部に組立突起３３９を形成し、化粧品吐出板３４０の下部に組立溝３４９を形成して相互組立結合されるようにすることができる。ガイド板３３０は、化粧品吐出板３４０と上下に結合されており、化粧品吐出板３４０の押圧作動時、ガイド板３３０も下降作動させることができる。
【００４８】
ガイド板３３０中央には、ポンプ３２０から排出された化粧品が通過するノズル孔３３４が形成されることができ、化粧内容物を分散案内する分岐溝３３７が形成されることができる。分岐溝３３７の形態は、放射状形態であることができ、これに限定されず、多様な形態に形成されることができる。また、ノズル孔３３４から連続される形態であることができる。化粧品は、ポンプ３２０により排出され、ガイド板３３０のノズル孔３３４を経て分岐溝３３７に沿って流れるようになり、最終的に化粧品吐出板３４０の吐出孔３４２に吐出されることができる。化粧品吐出板３４０の吐出孔３４２は、ガイド板３３０のノズル孔３３４と分岐溝３３７の上部に対応するように形成、位置させることにより、化粧品が均一に分散供給されるようにすることができる。
【００４９】
図５は、本発明の第２の実施例に係る化粧品排出手段の分解斜視図であり、図６は、本発明の第２の実施例に係る化粧品排出手段の一部構成の底面構造を示す斜視図である。
【００５０】
図３は、別途のボタン部無しにプレートだけを加圧しても化粧品が吐出されるプレート型化粧品排出手段を示すものであり、図５は、ボタン部を加圧することにより、化粧品を吐出させる押圧ボタン型化粧品排出手段を示すものである。図３に示された第１の実施例と図５に示された第２の実施例は、押圧ボタン部の有無が異なるだけで、残りの構成は同一であるので、以下では、重複される内容を省略する。
【００５１】
図５及び図６を参照すると、押圧ボタン部３５０は、ポンプ支持部３１０と化粧品吐出板３４０との間に備えられることができ、てこ原理により、ポンプ３２０のポンピング作動を誘導して化粧品を排出させることができる。このような押圧ボタン部３５０は、ポンプ支持部３１０、ガイド板３３０またはステム３３５と結合することができ、このように結合されることにより、押圧ボタン部３５０の押圧作動を通じてポンプ３２０を加圧することができる。例えば、ポンプ支持部３１０の上部の前方には係止溝３１１、両側方には上下方向に長方形の凹溝３１２を形成して、前記押圧ボタン部３５０と組み立てされることができる。
【００５２】
押圧ボタン部３５０が備えられる場合、化粧品吐出板３４０一部に切開部３４３を形成し、吐出板の下部に構成された押圧ボタン部３５０の一部構成が、化粧品吐出板３４０と同じ面上に位置するようにすることができる。
【００５３】
押圧ボタン部３５０は、リング形態のレバー３５１で構成されることができる。この場合、レバー３５１をステム３３５またはガイド板３３０の外側にリング形態で構成し、部品の上下積層して組み立てされる高低を低く形成することはもとより、リング形態のレバー３５１の前後方を用いたてこ作動により作動半径を大きくし、ポンプ３２０の加圧ポンピングの作動性を向上させることができる。
【００５４】
レバー３５１とガイド板３３０、ポンプ支持部３１０は、多様な方法で結合されることができるが、本発明の一実施例に係る押圧ボタン部３５０は、ガイド板３３０の外側に軸結合されるリング形態のレバー３５１を形成し、レバー３５１の前方下部に係止段３５２、後方上部に押圧ボタン３５３を形成し、両側方において内側に軸溝３５４と外側に軸突起３５５を同一軸線上に形成し、レバー３５１の前方下部の係止段３５２は、ポンプ支持部３１０内の係止溝３１１に挿入させ、レバー３５１の両側方に外側へ突出形成された軸突起３５５をポンプ支持部３１０の両側方に上下方向へ形成された長方形の凹溝３１２に挿入して組み立てることができる。
【００５５】
一方、ガイド板３３０の両側方のヒンジ軸３３６は、前記レバー３５１の両側方の軸溝３５４に挿入させることができ、押圧ボタン３５３は、化粧品吐出板３４０の切開部３４３に挿入位置されることができる。
【００５６】
図６を参照すると、本発明の第２の実施例に係る化粧品排出手段は、押圧ボタン３５３の加圧時、レバー３５１が、前方の係止段３５２が係止されているポンプ支持部３１０の前方の係止溝３１１内において全体的に下降しながらてこ作動をすることができる。このとき、レバー３５１の両側方には、内側の軸溝３５４にガイド板３３０のヒンジ軸３３６が軸結合されており、ガイド板３３０は、化粧品吐出板３４０と上下で結合されており、レバー３５１の押圧作動とともに前記ガイド板３３０と化粧品吐出板３４０も下降作動させることができる。この過程で、前記レバー３５１の両側方の外側に突出された軸突起３５５は、ポンプ支持部３１０の両側方に上下方向へ形成された長方形の凹溝３１２内において乗下降案内されることができる。このようにレバー３５１の押圧ボタン３５３の加圧により、ガイド板３３０が下降しながら弾性部材３２５を圧縮して弾発下降することはもとより、ポンプ３２０のポンピング作動を誘発するようになることである。
【００５７】
本発明の第１の実施例に係る化粧品容器は、化粧品吐出板３４０を直接加圧することにより、ポンプ３２０から化粧品を排出させることができる。第２の実施例に係る化粧品容器のように押圧ボタン部３５０が形成されていると、押圧ボタン部３５０を加圧して化粧品を排出させることもできるが、押圧ボタン部３５０が存在しても、化粧品吐出板３４０を直接加圧することにより、ポンプ３２０のポンピング作動を誘導して化粧品を排出させることもできる。
図７は、本発明の一実施例に係るリフィル用貯蔵容器と、第２の実施例に係る化粧品排出手段との結合順序図である。
【００５８】
化粧品排出手段３００とリフィル用貯蔵容器２００との結合方法は、ねじ結合、突起と溝、係止段を用いた着脱結合等、多様である。図７を参照して、本発明の一実施例に係る化粧品排出手段３００の組立過程を説明すると、ポンプ支持部３１０にポンプ３２０及び化粧品吐出板３４０を組み立てる。押圧ボタン部３５０があれば、化粧品吐出板３４０の組立前に押圧ボタン部３５０の構成をポンプ支持部３１０に結合させる。
【００５９】
リフィル用貯蔵容器２００を組み立ててから、上下をひっくり返して化粧品収容部２１０の一面が底面に接触するように位置させた後、リフィル用貯蔵容器２００と化粧品排出手段３００を組み立てて結合する。本発明の一実施例によれば、ポンプ支持部３１０のうち、ポンプ組立部３１３に形成されたねじ部３１４をリフィル用貯蔵容器２００の化粧品排出手段結合部２３０に形成されたねじ部２１３にねじ結合して簡単に組み立てることができる。この過程で、前記ポンプ支持部３１０の下部に形成された加圧部３１５がリフィル用貯蔵容器の化粧品排出手段結合部２３０の一側に結合されたカバー２４０を加圧して化粧品排出手段結合部２３０から分離させることができる。
【００６０】
このとき、前記カバー２４０は、外側カバー２５０の内側中央のリング形態の支持突起２５５により形成された支持溝２５６に挿入支持されることができ、これとともに、化粧品収容部２１０に収容された化粧品がポンプ３２０に排出可能な状態となる。
【００６１】
すなわち、リフィル用貯蔵容器２００は、化粧内容物の充填過程及び化粧品排出手段の組立時に、上下方向をひっくり返して使用するが、化粧内容物の充填時は、化粧品収容部２１０の開放された面が上向きになるように位置させた状態で、ピストンの組立て、化粧内容物の充填、内・外側カバーを組み立てて結合し、化粧品排出手段と組み立てるときは、化粧品収容部２１０の外側カバー２５０が底面に接触するようにひっくり返した後、化粧品排出手段を組み立てて結合するように構成されるものである。
【００６２】
このように組立てが完了した化粧品容器は、化粧品吐出板３４０を直接加圧することにより、ポンプ３２０から化粧品を排出させることができ、押圧ボタン部３５０が形成されていれば、押圧ボタン部３５０を加圧して化粧品を排出させることもできる。
【００６３】
したがって、本発明は、外部ケースの内部に化粧品排出手段とは別途に、化粧内容物が充填される貯蔵容器だけをリフィル可能に組立構成することにより、最少部品のリフィル使用により原価節減及び経済性を向上させる効果がある。
【００６４】
それだけでなく、リフィル用貯蔵容器２００は、内部に化粧内容物を充填し、カバー及び外側カバー２４０、２５０を結合し完成して別途製造した後、化粧品排出手段３００の下部に簡単に結合して使うことにより、内容物充填作業工程を簡素化させ、製品組立作業の効率性を向上させる効果がある。
図８は、本発明の一実施例に係るリフィル用貯蔵容器と、第２の実施例に係る化粧品排出手段との結合断面図であり、図９は、図８の「Ａ」部分の拡大図である。
【００６５】
図８及び図９を参照すると、本発明に係るリフィル用貯蔵容器２００は、化粧品排出手段３００との組立時、ポンプ支持部３１０に形成された加圧部３１５により、化粧品排出手段結合部２３０の一側に定着されているカバー２４０を加圧して分離させることにより、化粧品収容部２１０に充填されている化粧内容物をポンピングにより吐出して使うように構成されることができる。以後、分離されたカバー２４０は、化粧品収容部内に位置したカバー定着部２６０、具体的には、支持突起２５５で構成された支持溝２５６に固定されることができる。このとき、ポンプ支持部３１０に形成された加圧部３１５は、カバー２４０を加圧して分離させる役割のみならず、分離されたカバー２４０がカバー定着部２６０に固定されるようにカバー２４０を支持する役割がすることができる。
【００６６】
このように、本発明に係るリフィル用貯蔵容器２００は、化粧品排出手段３００が結合されるまでは、密閉した状態で化粧品を収容しており、化粧品排出手段３００とは別途に分離、移動が可能である長所がある。これにより、作業工程が簡便になり、部品の運搬が容易になることができる。また、使用者が容易にリフィル用貯蔵容器２００と化粧品排出手段３００を組み立てて使うことができ、組立作業性が容易であり、使用後、リフィル用貯蔵容器２００だけを交替して使うことができるので、費用を相当に節減することができる効果がある。
図１０は、本発明の第２の実施例に係る化粧品排出手段が適用された化粧品容器を示す外観斜視図である。
【００６７】
図１０に示すように、本発明のリフィル用貯蔵容器２００は、化粧品排出手段３００と結合した後、外部ケース１００に収容されることができる。外部ケース１００は、リフィル用貯蔵容器２００の周辺を取り囲む構成である。外部ケース１００は、リフィル用貯蔵容器２００が定着されるようにする空間を有し、下方にリフィル用貯蔵容器２００の一部を露出させる開放部が形成されることができる。これは、使用者が、外部ケース１００の開放部を通じてリフィル用貯蔵容器２００を上方に押し上げ、外部ケース１００から容易に分離されるようにし、リフィル用貯蔵容器２００の交替を可能にするためである。
【００６８】
前記外部ケース１００は、下部本体１１０と、前記下部本体の上部に開閉可能に結合される上部キャップ１２０とで構成され、上部キャップの内部には鏡が付着されることができる。
【００６９】
添付された図面を参照して説明したが、本発明は、これに限定されず、下記の特許請求の範囲を逸脱しない範囲内において多くの修正及び変更が可能である。
【図１】
0006650527.tif 000002
【図２】
0006650527.tif 000003
【図３】
0006650527.tif 000004
【図４】
0006650527.tif 000005
【図５】
0006650527.tif 000006
【図６】
0006650527.tif 000007
【図７】
0006650527.tif 000008
【図８】
0006650527.tif 000009
【図９】
0006650527.tif 000010
【図１０】
0006650527.tif 000011